(57)【要約】      （修正有）【課題】患者の下肢を安定して支持すると共に、手術者に利便を提供し、安全で簡便な操作効果を達成できる手術用下肢サポートフレーム装置を提供する。【解決手段】手術用下肢サポートフレーム装置１００はバー槽内に垂直に挿入して設置され、サポートと定位を行うサイドフレーム１、連接バー部２１及び２個の端バー部２２、２３を備えるＵ型スリーブ２を有する。２個の端バー部は連接バー部両端とそれぞれ連接し、且つ軸方向は、連接バー部の軸方向とおおよそ垂直で、サイドフレームと連接バー部とは連接する。２個の軟性マット体３、４は２個の端バー部に回転できるようにそれぞれ嵌めて接続される。押圧バー５は取り外しできるように、連接バー部の適当な箇所から２個の端バー部の間に軸方向に向い延長して設置される。これにより、下肢部の手術を行う時、異なる患部の下肢サイズに応じて、適応と安定積載を達成できる。【選択図】図１
0003196383.tif 000002
【実用新案登録請求の範囲】
【請求項１】
手術用下肢サポートフレーム装置は、サイドフレーム、Ｕ型スリーブ、２個の軟性マット体、押圧バーを有し、
前記サイドフレームは、バー槽内に垂直に挿入して設置し、サポートと定位を行い、
前記Ｕ型スリーブは、連接バー部及び２個の端バー部を有し、前記２個の端バー部は、前記連接バー部の両端とそれぞれ連接され、且つ前記２個の端バー部の軸方向は、前記連接バー部の軸方向とおおよそ垂直で、前記サイドフレームは、前記Ｕ型スリーブの連接バー部と連接し、
前記２個の軟性マット体は、前記Ｕ型スリーブの２個の端バー部に回転できるようにそれぞれ嵌めて接続し定位され、
前記押圧バーは、取り外しできるように、前記Ｕ型スリーブの連接バー部の適当な箇所から、前記２個の端バー部の軸方向へ向い延長して設置され、これにより前記押圧バーは、前記２個の端バー部の間に位置することを特徴とする手術用下肢サポートフレーム装置。
【請求項２】
前記各軟性マット体は、前記各端バー部に対して偏心状に設置されることを特徴とする請求項１に記載の手術用下肢サポートフレーム装置。
【請求項３】
前記各軟性マット体の横断面は、つぶれた楕円形を呈することを特徴とする請求項１或いは２に記載の手術用下肢サポートフレーム装置。
【請求項４】
前記各軟性マット体の軸方向両端の間には、凹部を形成することを特徴とする請求項１或いは２或いは３に記載の手術用下肢サポートフレーム装置。
【請求項５】
前記各軟性マット体の両端サイズは異なることを特徴とする請求項４に記載の手術用下肢サポートフレーム装置。
【請求項６】
前記各軟性マット体の前記連接バー部に近い一端のサイズは、前記各軟性マット体の前記連接バー部から離れた一端のサイズより小さいことを特徴とする請求項５に記載の手術用下肢サポートフレーム装置。
【考案の詳細な説明】
【技術分野】
【０００１】
本考案は手術の設備に関し、特に手術台側辺のバー槽に運用し、サポート用のサイドフレームを挿置し、サイドフレーム頂端により、Ｕ型スリーブと連接し、これにより２個の軟性マット体を偏心状且つ回転できるようにＵ型スリーブの２個の端バー部にそれぞれ嵌めて設置し、各軟性マット体の横断面はつぶれた楕円形を呈し、且つその軸方向両端サイズは相同でなくともよく、また非対等の拡張状でもよく、これにより２個の軟性マット体は幅の選定及び全方向の回転調整が可能で、患者の下肢部を安定的に積載し、医療操作を補助できる手術用下肢サポートフレーム装置に関する。
【背景技術】
【０００２】
従来、患者の下肢部に手術を行う、或いは矯正する等の各種整形外科的処置を施す際に、関節部位等を適当な位置と角度に予め調整する必要がある時には、患者の身長、足の長さ等の条件が異なることもあり、手術台上には適当な補助と支持の専用装置がなかった。
【０００３】
そのため、手術者はしばしば手術開始前に、手近なクッションブロック或いは折畳んだファブリック体を用いて、下肢の下方局部を持ち上げ、或いは側面を支える等して予め調整していた。
【０００４】
これにより、患部は好ましい角度と位置を呈し、簡単な定位を行うことができ、処置の過程において、患者の下肢は揺動或いは移動を回避でき、手術操作の安定性を達成することができる。
【考案の概要】
【考案が解決しようとする課題】
【０００５】
上記の簡単なサポート方式は、下肢下方を載せている物の偏移或いは揺動により、手術を予定する患部の角度或いは位置が偏移する状況が発生し易く、手術者の操作の精確性と医療効果に深刻な影響を及ぼす。
【課題を解決するための手段】
【０００６】
本考案は、実際に整形外科手術に携わり数十年の豊富な臨床経験を有し、前述のような状況を経験する中で、手術過程において患者の下肢に安定的なサポートフレームを提供する必要の迫切性に鑑み、本考案を完成させたものである。
【０００７】
本考案の第一の目的は、手術台側辺に必ず設置されるバー槽を運用し、垂直に挿入して設置されるサポート用サイドフレームを挿入して定位し、サポート用サイドフレーム上端はクイックリリースクランプリングにより、取り外しできるようにＵ型スリーブの連接バー部に結合して固定され、これにより、Ｕ型スリーブの２個の端バー部上の２個の軟性マット体にそれぞれ偏心状に嵌めて接続され、下肢部の手術時には患者の下肢部を安定的に積載し、使用しない時には便利に取り外して分解し、或いは収納でき、調整と操作が簡便で、場所をとらないという実用の効果を備える手術用下肢サポートフレーム装置を提供することである。
【０００８】
本考案の第二の目的は、偏心状に嵌めて設置する軟性マット体断面はつぶれた楕円形を呈し、両側端は非対等の拡張状部位で、軟性マット体の両端サイズは違っていてもよく、軟性マット体の幅位置の選定により、２個の軟性マット体を全方向の回転調整が可能なように独立状に製造でき、異なる間隔距離と積載角度の設定を達成し、下肢部の手術時に、異なる患者、異なる患部の下肢に適応と安定積載を提供でき、手術者には利便を提供し、安全で簡便な操作効果を達成することができる手術用下肢サポートフレーム装置を提供することである。
【０００９】
本考案の第三の目的は、軟性マット体を含むサポートフレーム装置一式で、手術用の布カバーに覆われ内部に位置し、必要時に患者の下肢部を積載し、これにより簡便な調整という予期の機能に影響を及ぼさず、このような操作により、本考案の全体装置は、術後消毒を逐次行う必要がなく、便利で経済性が高い手術用下肢サポートフレーム装置を提供することである。
【００１０】
本考案による手術用下肢サポートフレーム装置は、サイドフレームを備え、該サイドフレームは、バー槽内に垂直に挿入して設置し、サポートと定位を行う。
【００１１】
該Ｕ型スリーブは、連接バー部及び２個の端バー部を有し、該２個の端バー部は、該連接バー部の両端とそれぞれ連接され、且つ該２個の端バー部の軸方向は、該連接バー部の軸方向とおおよそ垂直で、該サイドフレームは、該Ｕ型スリーブの連接バー部と連接する。
【００１２】
２個の軟性マット体は、該Ｕ型スリーブの２個の端バー部に回転できるようにそれぞれ嵌めて接続し定位され、該押圧バーは、取り外しできるように、該Ｕ型スリーブの連接バー部の適当な箇所から、該２個の端バー部の軸方向へ向い延長して設置される。これにより、該押圧バーは、該２個の端バー部の間に位置する。
【００１３】
一実施形態中では、該各軟性マット体は、該各端バー部に対して偏心状に設置される。
【００１４】
一実施形態中では、該各軟性マット体の横断面は、つぶれた楕円形を呈する。
【００１５】
一実施形態中では、該各軟性マット体の軸方向両端の間には、凹部を形成する。
【００１６】
一実施形態中では、該各軟性マット体の両端サイズは異なる。
【００１７】
一実施形態中では、該各軟性マット体の該連接バー部に近い一端のサイズは、該各軟性マット体の該連接バー部から離れた一端のサイズより小さい。
【００１８】
本考案の実施形態を応用する特徴の一つは、手術台側辺のバー槽に運用し、サポート用のサイドフレームを挿置し、サイドフレーム頂端により、Ｕ型スリーブと連接し、これにより２個の軟性マット体を偏心状且つ回転できるようにＵ型スリーブの２個の端バー部にそれぞれ嵌めて設置し、各軟性マット体の横断面はつぶれた楕円形を呈し、且つその軸方向両端サイズは相同でなくともよく、また非対等の拡張状でもよく、これにより２個の軟性マット体は幅の選定及び全方向の回転調整が可能で、患者の下肢部を安定的に積載し、医療操作を補助することができる。
【図面の簡単な説明】
【００１９】
【図１】本考案の一実施形態による手術用下肢サポートフレーム装置の外観模式図である。
【図２】本考案の一実施形態による手術用下肢サポートフレーム装置の分解模式図である。
【図３】本考案の一実施形態による手術用下肢サポートフレーム装置を手術台に使用する時の模式図である。
【図４】本考案の一実施形態による手術用下肢サポートフレーム装置の使用状態を示す模式図である。
【図５】本考案の一実施形態による手術用下肢サポートフレーム装置の使用状態を示す模式図である。
【図６】本考案の一実施形態による手術用下肢サポートフレーム装置の使用状態を示す模式図である。
【図７】本考案の一実施形態による手術用下肢サポートフレーム装置の使用状態を示す模式図である。
【図８】本考案の一実施形態による手術用下肢サポートフレーム装置の使用状態を示す模式図である。
【図９】本考案の一実施形態による手術用下肢サポートフレーム装置の使用状態を示す模式図である。
【考案を実施するための形態】
【００２０】
一実施形態
【００２１】
図１〜図３に示すとおり、本考案の手術用下肢サポートフレーム装置１００は、サイドフレーム１、Ｕ型スリーブ２、２個の軟性マット体３、４、及び押圧バー５を有する。
【００２２】
サイドフレーム１は、バー槽２１０内に垂直に挿入して設置し、サポートと定位を行う。好ましくは、バー槽２１０は、手術台２００の側辺に設置されるが、これに制限されない。
【００２３】
Ｕ型スリーブ２は、連接バー部２１及び２個の端バー部２２、２３を有する。
【００２４】
２個の端バー部２２、２３は、連接バー部２１の両端とそれぞれ連接し、且つ２個の端バー部２２、２３の軸方向は、連接バー部２１の軸方向とおおよそ垂直である。
【００２５】
サイドフレーム１とＵ型スリーブ２の連接バー部２１とは連接し、サイドフレーム１頂点部は、クイックリリースクランプリング（図示なし）を通して、調整できるように、Ｕ型スリーブ２の連接バー部２１と連接する。
【００２６】
これにより、Ｕ型スリーブ２は手術台２００上に調整され（使用時）、或いは手術台２００外に調整される（未使用時）。
【００２７】
こうして、構造をシンプルにし、医療人員の緊急及び迅速な調整操作の便を図る。
【００２８】
且つ、Ｕ型スリーブ２は、手術台２００外に調整され使用されない時には、手術用の布カバー２２０に覆われ内部に位置し、必要時に患者の下肢部を積載し、これにより簡便な調整という予期の機能に影響を及ぼさず、このような操作により、本考案の全体装置は、術後消毒を逐次行う必要がなく、便利で経済性が高い。
【００２９】
２個の軟性マット体３、４は、それぞれ回転できるように、Ｕ型スリーブ２の２個の端バー部２２、２３に嵌めて接続し定位する。
【００３０】
各軟性マット体３及び４は、各端バー部２２及び２３に対して偏心状に設置し、且つ各軟性マット体３及び４の横断面は、つぶれた楕円形を呈する。且つ、各軟性マット体３及び４の軸方向両端の間には、凹部３１、４１を形成する。
【００３１】
さらに、各軟性マット体３及び４の両端サイズは、異なる。
本考案の図示で説明するとおり、各軟性マット体３及び４の連接バー部２１に近い一端のサイズは、各軟性マット体３及び４の連接バー部２１から離れた一端のサイズより小さいが、これに制限されない。
【００３２】
押圧バー５は、取り外しできるように、Ｕ型スリーブ２の連接バー部２１の適当な箇所（中央位置など）から、２個の端バー部２２、２３の軸方向に向い延長して設置する。これにより、押圧バー５は、２個の端バー部２２、２３の間に位置する。
【００３３】
図４に示すとおり、患者が脚部を伸ばす時、患者の小腿３００及び小腿３００とかかと４００との間の二つの部位は、軟性マット体３の凹部３１及び軟性マット体４の凹部４１をそれぞれ押圧する。
【００３４】
図５に示すとおり、患者が脚部を湾曲を呈するように調整する時には、患者の関節５００を湾曲させる。これにより、患者の土踏まず６００は、患者に近い軟性マット体３の凹部３１に押圧される。
【００３５】
図６に示すとおり、患者の小腿３００とかかと４００との間を、押圧バー５に押圧し、患者の土踏まず６００は、患者から離れた軟性マット体４の凹部４１に押圧される。
【００３６】
図７に示すとおり、患者の小腿３００とかかと４００との間は、患者に近い軟性マット体３の凹部３１に押圧され、患者の土踏まず６００は、押圧バー５に押圧される。
【００３７】
もし、患者の足の裏が充分大きくて或いは充分長いなら、足の指部分７００を、患者から離れた軟性マット体４の凹部４１に押圧することができる。
【００３８】
図８に示すとおり、患者の足の指部分７００は、患者に近い軟性マット体３の凹部３１に押圧される。こうして、関節５００は最小角度に湾曲される。
【００３９】
図９に示すとおり、患者の脚部は、さまざまなニーズに応じて、違った湾曲角度に調整される。
【００４０】
上述の構造と使用方法により、本考案は整形外科手術に操作の利便性を確実に提供でき、患者の下肢を安定的に積載し、手術の安全性を向上させることができる。
【００４１】
前述した本考案の実施形態は本考案を限定するものではなく、よって、本考案により保護される範囲は後述される実用新案登録請求の範囲を基準とする。
【符号の説明】
【００４２】
１００・・・手術用下肢サポートフレーム装置
１・・・サイドフレーム
２・・・Ｕ型スリーブ
２１・・・連接バー部
２２・・・端バー部
２３・・・端バー部
３・・・軟性マット体
３１・・・凹部
４・・・軟性マット体
４１・・・凹部
５・・・押圧バー
２００・・・手術台
２１０・・・バー槽
２２０・・・布カバー
３００・・・小腿
４００・・・かかと
５００・・・関節
６００・・・土踏まず
７００・・・足の指部分
【図１】
0003196383.tif 000003
【図２】
0003196383.tif 000004
【図３】
0003196383.tif 000005
【図４】
0003196383.tif 000006
【図５】
0003196383.tif 000007
【図６】
0003196383.tif 000008
【図７】
0003196383.tif 000009
【図８】
0003196383.tif 000010
【図９】
0003196383.tif 000011